(57)【要約】【課題】種々の居住態様であっても容易に導入することができ、不審者による犯罪を防止するとともに、居住者の安全性が向上されるホームセキュリティシステムを提供する。【解決手段】ホームセキュリティシステムは、コンピュータからなるサーバー、居住者宅に設置される警備装置４、及び居住者が所持する情報端末装置がネットワークを介して接続されている。警備装置４は、異常を検知する外部センサ９及び内部センサ１４と、外部センサ９及び内部センサ１４から発信される検知信号を認識して状態情報を作成する検知信号認識手段１５と、スピーカー１９から警告メッセージを発声させる音声制御手段２１と、状態情報をネットワークを介してサーバーに出力する状態情報出力手段１６とを備えている。外部センサ９又は内部センサ１４が異常を検知すると、警告メッセージが発声されて、状態情報がサーバーを介して情報端末装置に通知される。【選択図】　　　　図２
2004086658.tif 000002
【特許請求の範囲】
【請求項１】
居住者によって作動されると、所定時間経過後に屋内の異常検知を開始する検知手段と、
該検知手段が異常を検知すると、警告音を発生する警告手段と、
前記検知手段によって検知された屋内の状態に関する状態情報を、通信ネットワークを介してサーバーへ出力する状態情報出力手段と、
居住者の情報端末装置から警告音を発生させる発生指示が通知されると、前記警告手段を作動させる作動手段と
を具備する警備装置を有することを特徴とするホームセキュリティシステム。
【請求項２】
前記サーバーは、
前記状態情報出力手段から出力された前記状態情報を認識する状態情報認識手段と、
該状態情報認識手段によって認識された前記状態情報を、居住者の第二情報端末装置に通知する状態情報通知手段と
を具備することを特徴とする請求項１に記載のホームセキュリティシステム。
【請求項３】
前記警備装置は、
居住者の緊急事態時に操作されて、居住者の緊急情報を出力する緊急情報出力手段をさらに具備し、
前記サーバーは、
前記緊急情報出力手段から出力された前記緊急情報を認識する緊急情報認識手段と、
該緊急情報認識手段によって認識された前記緊急情報を、緊急情報通知者の第三情報端末装置に通知する緊急情報通知手段と
をさらに具備することを特徴とする請求項１または請求項２に記載のホームセキュリティシステム。
【請求項４】
前記検知手段は、出入り口、窓、及び室内等の居住空間に設置される複数のセンサを備え、
前記警備装置は、前記複数のセンサを作動させて異常を検知する第一モードと、室内の動体を検知するセンサを停止させた状態で他のセンサによって異常を検知する第二モードとを切替設定するモード設定手段をさらに具備することを特徴とする請求項１乃至請求項３のいずれか一つに記載のホームセキュリティシステム。
【請求項５】
前記モード設定手段は、切替設定可能なモードとして、室内の動体を検知するための前記センサによって動体の動きが検知されても異常と判断せず、且つ前記センサによって動体の動きが所定時間以上検知されない場合に異常と判断する第三モードをさらに有することを特徴とする請求項４に記載のホームセキュリティシステム。
【請求項６】
前記検知手段は、異常を検知した際に検知信号を発信し、該検知信号を無線信号にて前記警告手段に伝送することを特徴とする請求項１乃至請求項５のいずれか一つに記載のホームセキュリティシステム。
【発明の詳細な説明】
【０００１】
【発明の属する技術分野】
本発明は、ホームセキュリティシステムに関するものであり、特に、一人暮しや老人世帯等、種々の居住態様に対応可能なホームセキュリティシステムに関するものである。
【０００２】
【従来の技術】
従来、工場、事務所、及び店舗等の警備対象物への不審者の侵入を防止するセキュリティシステムが広く知られている。これは、予め警備対象物の屋内にセンサや非常ベルを設置しておき、センサが異常を検知すると、非常ベルが鳴って不審者を威嚇するとともに、電話回線を介して警備会社や管理会社の基地局（コントロールセンター）に通報して、通報を受けた警備員等が警備対象物へ急行する、といったシステムである。
【０００３】
また、近年では、不審者による窃盗等の犯罪が多発していることから、工場や事務所だけでなく一般家庭においても、セキュリティシステムに対する需要が高まっている。このため、同様のシステムを流用して、警備対象物を住居とするホームセキュリティシステムが勘案されている。
【０００４】
【発明が解決しようとする課題】
しかしながら、上記のホームセキュリティシステムは、センサを設置して配線するために住居内の工事が必要である等、導入するにあたっての諸条件があり、これに伴って設備費や維持費等の諸経費も嵩むことから、利用者が限られていた。特に、賃借住宅では一般に工事ができないため、ホームセキュリティシステムを導入することは困難とされていた。また、出張や旅行等、長期にわたって不在にする場合にのみ、警備を依頼したい、という要望があっても、セキュリティシステムを構築するには住居内の工事を要することから、一時的な設置には適していなかった。つまり、セキュリティシステムをレンタルで貸出すなどの使用者の使い勝手に応じた利用を図ることができなかった。
【０００５】
また、居住者がホームセキュリティシステムの作動操作を忘れたまま外出したときに不審者が侵入し、不審者が住居内に潜んでいるときに居住者が帰宅することがあると、居住者と不審者とが住居内で鉢合せになり、不審者から危害が加えられて、居住者が怪我をする虞があった。
【０００６】
さらに、居住者が室内で犬や猫等のペットを飼っている場合は、居住者が外出する際、ペットを連れて外出したり、或いは、サークルやクレイトの中にペットを入れて室内を動き回らないようにする必要がある等、ペットを室内に放置したままの状態で外出することができず、ペットを室内で飼う居住態様にとって、使い勝手が悪かった。
【０００７】
加えて、現代の居住態様は、若者による一人暮しや核家族化に伴う老人世帯が増加し、アパートやマンション等の集合住宅に居住する態様も増加していることから、細分化する傾向にあり、従来のホームセキュリティシステムでは、種々の居住態様への導入が困難になっていた。
【０００８】
そこで、本発明は、上記実状に鑑み、種々の居住態様であっても容易に導入することができ、不審者による犯罪を防止するとともに、居住者の安全性が向上されるホームセキュリティシステムの提供を課題とするものである。
【０００９】
【課題を解決するための手段】
請求項１の発明にかかるホームセキュリティシステムは、居住者によって作動されると、所定時間経過後に屋内の異常検知を開始する検知手段と、該検知手段が異常を検知すると、警告音を発生する警告手段と、前記検知手段によって検知された屋内の状態に関する状態情報を、通信ネットワークを介してサーバーへ出力する状態情報出力手段と、居住者の情報端末装置から警告音を発生させる発生指示が通知されると、前記警告手段を作動させる作動手段とを具備する警備装置を有するものである。
【００１０】
ここで、「所定時間」としては、居住者が警備装置を作動させて、屋内から退出するまでの時間とするのが好ましい。なお、作動操作時に、居住者によって適宜設定できるようにしてもよい。
【００１１】
また、「警告音」としては、非常ベル及びアラームを例示することができるが、これに限定するものではなく、警告メッセージを音声によって伝達するようにしてもよい。つまり、不審者が屋内に侵入した際、不審者を威嚇するものであればよい。
【００１２】
また、「情報端末装置」としては、特に携帯用のものが好ましく、例えば、携帯電話やリモコンを例示することができる。
【００１３】
したがって、請求項１の発明のホームセキュリティシステムによれば、居住者が警備装置を作動させると、屋内の異常検知は所定時間経過後に開始されるため、居住者はこの間に屋内から待避する。そして、不審者の侵入により警備装置が屋内の異常を検知すると、警告音を発生して不審者を威嚇し、屋内からの退出を促す。これを聞いた不審者は、即座に屋内から退出を開始するため、窃盗等の犯罪は未然に防止される。また、警備装置からは、異常を検知した際の屋内の状態に関する状態情報が、通信ネットワークを介してサーバーに出力される。
【００１４】
一方、居住者が情報端末装置を操作して、警備装置に発生指示が通知されると、警告手段が作動されて警告音が発生される。このため、居住者は、警備装置の作動操作を忘れて外出したときであっても、帰宅前に発生指示を通知させて、警告音を発生させることにより、屋内に不審者が潜んでいる場合等、事前に不審者を威嚇して屋内から退出させることが可能になる。
【００１５】
請求項２の発明にかかるホームセキュリティシステムは、請求項１に記載のホームセキュリティシステムにおいて、前記サーバーは、前記状態情報出力手段から出力された前記状態情報を認識する状態情報認識手段と、該状態情報認識手段によって認識された前記状態情報を、居住者の第二情報端末装置に通知する状態情報通知手段とを具備するものである。
【００１６】
したがって、請求項２の発明のホームセキュリティシステムによれば、請求項１の発明の作用に加え、サーバーは、警備装置から出力された状態情報を認識すると、外出中の居住者の第二情報端末装置に状態情報を通知する。このため、居住者は、外出先であっても、住居内で起こった異常を容易に認識することができる。
【００１７】
請求項３の発明にかかるホームセキュリティシステムは、請求項１または請求項２に記載のホームセキュリティシステムにおいて、前記警備装置は、居住者の緊急事態時に操作されて、居住者の緊急情報を出力する緊急情報出力手段をさらに具備し、前記サーバーは、前記緊急情報出力手段から出力された前記緊急情報を認識する緊急情報認識手段と、該緊急情報認識手段によって認識された前記緊急情報を、緊急情報通知者の第三情報端末装置に通知する緊急情報通知手段とをさらに具備するものである。
【００１８】
ここで、「緊急情報」とは、緊急事態時における居住者の状態に関する情報のことであり、居住者の体調が急に悪化したことによる緊急状態を例示することができる。
【００１９】
また、「緊急情報通知者」とは、居住者から緊急情報が出力されたとき、緊急情報が通知されるように、居住者の要望に基づいて予め指定された者のことであり、居住者の肉親や友人、或いは、同僚等を例示することができる。
【００２０】
したがって、請求項３の発明のホームセキュリティシステムによれば、請求項１または請求項２の発明の作用に加え、居住者が緊急事態時に警備装置を操作して、緊急情報が出力されると、サーバーは警備装置から出力された緊急情報を認識する。そして、サーバーは、認識した緊急情報を、緊急情報通知者の第三情報端末装置に通知する。これにより、緊急情報通知者は、居住者に緊急事態が起こったことを、容易に認識することができる。なお、「緊急情報の通知」には電子メールを利用することが可能である。この場合、例えば、緊急情報通知者が電子メールを開封したか否かを検出し、所定時間（例えば１０分）経過しても電子メールが開封されない場合には、緊急情報通知者に電話で連絡したり、警察等に直接連絡するようにしてもよい。これによれば、電子メールが開封されない場合であっても、緊急事態に対応することが可能になる。
【００２１】
請求項４の発明にかかるホームセキュリティシステムは、請求項１乃至請求項３のいずれか一つに記載のホームセキュリティシステムにおいて、前記検知手段は、出入り口、窓、及び室内等の居住空間に設置される複数のセンサを備え、前記警備装置は、前記複数のセンサを作動させて異常を検知する第一モードと、室内の動体を検知するセンサを停止させた状態で他のセンサによって異常を検知する第二モードとを切替設定するモード設定手段をさらに具備するものである。
【００２２】
ここで、「第一モード」とは、出入り口、窓、及び室内等に設置された全てのセンサを作動させて異常を検知するものであり、「第二モード」とは、室内に設置されて動体を検知するセンサを停止させて、不審者の侵入を検知するものである。第二モードでは、室内の動体は検知されないため、犬や猫等のペットを室内で飼っている居住者が、外出する際に設定するようにすると、ペットを室内に放置したままの状態にしておくことができ、好適である。また、第二モードでは、居住者の動きも検知されないため、夜間等における在宅時のセキュリティとして機能させることが可能になる。
【００２３】
したがって、請求項４の発明のホームセキュリティシステムによれば、請求項１乃至請求項３のいずれか一つに記載の発明の作用に加え、通常は、第一モードに設定して警備装置を作動させることにより、屋内の異常を検知して不審者による犯罪を未然に防止することが可能になる。一方、居住者がペットを飼っている場合、または在宅時等は、第二モードに設定して警備装置を作動させることにより、居住者の外出中にペットが室内を動き回っても、或いは居住者が室内を歩き回っても、居住者やペットがセンサに検知されることがない。しかも、不審者が屋内に侵入しようとすると、出入り口や窓に設置されたセンサにより、不審者の侵入が検知される。
【００２４】
請求項５の発明にかかるホームセキュリティシステムは、請求項４に記載のホームセキュリティシステムにおいて、前記モード設定手段は、切替設定可能なモードとして、室内の動体を検知するための前記センサによって動体の動きが検知されても異常と判断せず、且つ前記センサによって動体の動きが所定時間以上検知されない場合に異常と判断する第三モードをさらに有するものである。
【００２５】
したがって、請求項５の発明のホームセキュリティシステムによれば、請求項４に記載の発明の作用に加え、モード設定手段によって第三モードが選択されると、室内の動体を検知するためのセンサが、不審者を検知するためではなく、居住者の状態を監視するために用いられる。具体的には、センサによって居住者の動きが検出されると正常状態とみなされ、警告音は発生されない。これに対し、所定時間以上、居住者の動きが検出されない場合には、異常事態と判断され、例えば緊急情報を緊急情報通知者の第三情報端末装置に通知する。つまり、高齢者等の居住者が独り暮らしする場合には、第三モードに切り替えることにより、その居住者の健康状態、即ち居住者が寝込んだり倒れたりしていないかを、センサを用いて検知することが可能になる。
【００２６】
請求項６の発明にかかるホームセキュリティシステムは、請求項１乃至請求項５のいずれか一つに記載のホームセキュリティシステムにおいて、前記検知手段は、異常を検知した際に検知信号を発信し、該検知信号を無線信号にて前記警告手段に伝送するものである。
【００２７】
したがって、請求項６の発明のホームセキュリティシステムによれば、請求項１乃至請求項５のいずれか一つの作用に加え、検知信号が無線信号によって伝送されるため、屋内に設置される警備装置を、配線を必要としない無線式警備装置とすることができ、例えば、賃借住宅等のように、壁に穴をあける配線工事を行うことができない住宅であっても、警備装置を設置することが可能になる。
【００２８】
【発明の実施の形態】
以下、本発明の一実施形態であるホームセキュリティシステムについて、図１乃至図７に基づき説明する。図１はホームセキュリティシステム全体の構成を示す説明図であり、図２はホームセキュリティシステムにおける警備装置の機能的構成を示すブロック図であり、図３はホームセキュリティシステムにおけるサーバーと第一情報端末装置との機能的構成を示すブロック図である。また、図４乃至図７はホームセキュリティシステムの動作の流れを説明するためのフローチャートである。
【００２９】
本実施形態のホームセキュリティシステムは、不審者による窃盗等の犯罪を防止するとともに、後述する威嚇機能及び緊急通報機能により、日常生活における居住者の安全性が向上されるシステムである。
【００３０】
図１に示すように、ホームセキュリティシステム１は、コンピュータからなるサーバー２と、居住者宅に設置された複数の警備装置４と、居住者が所持する第一情報端末装置６ａ、居住者が所持する第二情報端末装置６ｂ、及び緊急情報通知者となる友人や肉親等が所持する第三情報端末装置６ｃとを備えている。なお、サーバー２と警備装置４とは、パケット通信方式を利用したネットワーク３を介して無線通信線ＮＬによって結ばれており、サーバー２と第一情報端末装置６ａ、第二情報端末装置６ｂ、及び第三情報端末装置６ｃとは、インターネット等のネットワーク５を介して通信線Ｌによって結ばれている。
【００３１】
ここで、サーバー２及び警備装置４間は、後述する状態情報及び緊急情報等の通信情報ＴＤを送受信するために、パケット通信方式のネットワーク３を利用している。パケット通信方式とは、データを小さなまとまりに分割して（分割されたデータはパケットと称される）、一つ一つ送受信する通信方式のことである。パケット通信では、二地点間の通信において、途中の回線が他の通信データによって占有されるといったことが無くなるため、サーバー２及び警備装置４間では、確実に通信情報ＴＤが送受信されるようになっている。
【００３２】
また、サーバー２と第一情報端末装置６ａ、第二情報端末装置６ｂ、及び第三情報端末装置６ｃとの間は、通信回線網の発達及び情報端末装置（例えば携帯電話）の普及を考慮して、インターネット等のネットワーク５を利用している。これにより、広範に渡っての情報配信が可能となるため、確実に居住者または緊急情報通知者に通信情報ＴＤが通知されるようになっている。
【００３３】
警備装置４は、居住者宅に設置されて屋内の異常を検知するとともに、異常を検知した際の屋内の状態に関する状態情報や、居住者の体調が悪化した際等に緊急状態を知らせる緊急情報等の通信情報ＴＤをサーバー２に送信するものであり、図２に示すように、警備装置４の中核を成す装置本体７と、居住者が操作を行うためのリモコン８と、出入り口、窓、及び室内等に設置される複数の外部センサ９と、浴室等で使用可能な防水リモコン（図示しない）とを備えている。
【００３４】
装置本体７は、機能的構成として、受信手段１０及び送信手段１１によって、サーバー２と送受信を行う通信制御手段１２と、リモコン８及び外部センサ９からの各種無線信号を受信する信号受信手段１３と、外部センサ９または装置本体７に内蔵される内部センサ１４が異常を検知したときに発信する検知信号を認識し、検知信号に基づいて状態情報を作成する検知信号認識手段１５と、状態情報を送信手段１１を介して出力する状態情報出力手段１６とを備えている。ここで、外部センサ９及び内部センサ１４と、検知信号認識手段１５とが本発明の検知手段に相当する。
【００３５】
信号受信手段１３は、全ての外部センサ９が作動されて異常が検知される通常モードと、室内の動体は検知されず、不審者の侵入が検知されるペットモードと、居住者（例えば高齢者）の状況を検出する高齢者モードとを切替設定するモード設定手段１７を有しており、居住者がリモコン８を操作して設定することが可能である。なお、信号受信手段１３では、ペットモードが設定されると、室内に設置されたセンサから発信される検知信号がキャンセルされるようになっている。これにより、犬や猫等のペットを室内で飼っている居住者が、ペットを室内に放置したままの状態で外出しても、ペットが検知されることはないため、室内でペットを飼う居住態様に好適である。また、ペットモードでは、動体を検出しないことから、夜間等における在宅時のセキュリティとしても使用することができる。
【００３６】
一方、高齢者モードでは、室内に設置されたセンサ（即ち室内の動体を検知するためのセンサ）が、不審者を検知するためではなく、高齢者等の状態を監視するために用いられる。具体的には、センサによって高齢者等の動きが検出された場合には正常状態とみなし、高齢者等の動きが所定時間以上検出されない場合には、異常事態と判断し、緊急情報をサーバー２に通知する。これにより、独り暮らしの高齢者等が寝込んだり倒れたりしていないかを、センサを用いて検知し、緊急事態の場合には速やかに対処することが可能になる。ここで、通常モードが本発明の第一モードに相当し、ペットモードが本発明の第二モードに相当し、高齢者モードが本発明の第三モードに相当する。
【００３７】
また、装置本体７は、警告メッセージの音声データが記憶された音声記憶手段１８と、検知信号認識手段１５によって作成された状態情報に基づいて、スピーカー１９による警告メッセージの発声、及びサイレン２０の鳴動の制御を行う音声制御手段２１と、後述する発生指示ＫＤを認識して音声制御手段２１を作動させる作動手段２２とを備えている。これにより、外部センサ９または内部センサ１４が異常を検知すると、スピーカー１９からは警告メッセージが発声されるとともに、サイレン２０が鳴動するため、屋内に侵入した不審者を威嚇して即座に退出を促し、窃盗等の犯罪を未然に防止することが可能である。ここで、スピーカー１９及びサイレン２０と、音声制御手段２１とが本発明の警告手段に相当する。
【００３８】
なお、装置本体７は、家庭用電源を主電源として稼動するようになっているが、バッテリー等の予備電源（図示しない）を内蔵しているため、警告メッセージの発声中に、不審者によってコンセントが抜かれても、停止することなく警告メッセージを発声して不審者を威嚇することが可能である。
【００３９】
さらに、装置本体７は、緊急スイッチ２３が押圧されたこと、リモコン８に設けられた所定のスイッチが一定時間継続して押圧されたこと、または防水リモコン（図示しない）の緊急スイッチが押圧されたこと、の少なくともいずれか一つの操作を認識し、緊急信号に基づいて緊急情報を作成する緊急信号認識手段２４と、緊急情報を送信手段１１を介して出力する緊急情報出力手段２５とを備えている。緊急情報は、サーバー２を介して、居住者の友人または肉親（緊急情報通知者）の第三情報端末装置６ｃに通知されるため（詳細は後述する）、一人暮しや老人世帯の居住態様に好適である。
【００４０】
リモコン８は、居住者が操作して、装置本体７の作動及びモードの設定等を入力するためのものであり、さらに機能的構成として、アラーム音を発生させる警告手段（図示しない）を有している。これにより、リモコン８を所持して外出した居住者が、道中で不審者に遭遇した場合等に、アラーム音を発生させて周囲に緊急を知らせることが可能である。
【００４１】
外部センサ９は、出入り口のドアに設置されてドアが開閉したときの振動を検知するドアセンサと、窓に設置されて窓が割られたときの衝撃を検知するガラスセンサと、室内に設置されて動体を検出する赤外線センサ及び超音波センサ等、複数のセンサから構成されている。なお、これらのセンサが異常を検知した際に発信する検知信号は、無線信号にて装置本体７の信号受信手段１３に伝送される。このため、屋内における配線工事等を行う必要はなく、賃借住宅等、壁に穴をあけることができない場合であっても設置することが可能であり、種々の居住態様に対応可能となっている。
【００４２】
次に、ホームセキュリティシステム１におけるサーバー２について説明する。サーバー２は、各種情報をネットワーク３，５を介して受信し、これに応じた処理を行うものであり、管理会社が利用可能な状態に設置されている。ハード構成としては、いずれも図示しないが、汎用のコンピュータと同様、主記憶装置、演算装置、及び制御装置から構成される中央処理装置（ＣＰＵ）と、キーボードやマウス等、情報を直接入力するための入力装置と、コンピュータの中で処理された情報を取出すディスプレイ等の出力装置と、データの送受信を行うモデム等の通信手段とを備えている。
【００４３】
サーバー２は、図３に示すように、機能的構成として、受信手段２６及び送信手段２７によって、複数の警備装置４と送受信を行う第一通信制御手段２８と、受信手段２９及び送信手段３０によって、第一情報端末装置６ａ、第二情報端末装置６ｂ、及び第三情報端末装置６ｃと送受信を行う第二通信制御手段３１と、居住者データＪＤが記憶された記憶手段３２とを備えている。居住者データＪＤは、居住者に関する個人情報が格納されたものであり、居住者の情報端末装置のメールアドレスＭ１や、居住者に係る緊急情報通知者のメールアドレスＭ２等が、関連付けて格納されている。
【００４４】
また、サーバー２は、状態情報出力手段１６から出力された状態情報を認識する状態情報認識手段３３と、状態情報認識手段３３が認識した状態情報及び記憶手段３２に記憶された居住者データＪＤに基づいて、状態情報を通知する第二情報端末装置６ｂを特定する状態情報特定手段３４と、緊急情報出力手段２５から出力された緊急情報を認識する緊急情報認識手段３５と、緊急情報認識手段３５が認識した緊急情報及び居住者データＪＤに基づいて、緊急情報を通知する第三情報端末装置６ｃを特定する緊急情報特定手段３６と、状態情報特定手段３４及び緊急情報特定手段３６によって特定された第二情報端末装置６ｂ及び第三情報端末装置６ｃに、状態情報及び緊急情報を電子メールとして発信する電子メール発信手段３７と、第一情報端末装置６ａから出力された発生指示ＫＤ（詳細は後述する）を認識する発生指示認識手段３８と、発生指示認識手段３８が認識した発生指示ＫＤ及び居住者データＪＤに基づいて、警備装置４の作動手段２２に発生指示ＫＤを通知する発生指示通知手段３９とを備えている。
【００４５】
サーバー２を管理する管理会社では、サーバー２が状態情報を認識すると、まず状態情報を出力した警備装置４が設置されている居住者宅に電話をかけ、居住者宅の状況を確認する。その後、必要に応じ、居住者宅に警備員等を急行させる。また、サーバー２が緊急情報を認識した場合は、その後、第三情報端末装置６ｃによって電子メールを開封したか否かを検出し、所定時間（例えば１０分）経過しても電子メールが開封されない場合には、第三情報端末装置６ｃの所有者である肉親等に電話で連絡を取ったり、介抱者等を急行させて居住者を介抱したりする。また、症状が重い場合には救急車の手配を行っている。これにより、体調が悪化した居住者は、肉親等に連絡が取れない場合でも、即座に救助を受けることができるようになっている。
【００４６】
なお、サーバー２から第二情報端末装置６ｂに通知される状態情報、及びサーバー２から第三情報端末装置６ｃに通知される緊急情報は、電子メールによって配信されるため、特定の端末装置を要するものではなく、携帯電話等のように広く一般に利用されている情報端末装置を利用して、状態情報及び緊急情報を受信することが可能である。また、電子メールは、一旦送信されれば、情報端末装置側で操作をしない限り消去されることがないため、居住者に状態情報を確実に認識させ、緊急情報通知者に緊急情報を確実に認識させることが可能である。ここで、状態情報特定手段３４及び電子メール発信手段３７が本発明の状態情報通知手段に相当し、緊急情報特定手段３６及び電子メール発信手段３７が本発明の緊急情報通知手段に相当する。
【００４７】
次に、ホームセキュリティシステム１における第一情報端末装置６ａ、第二情報端末装置６ｂ、及び第三情報端末装置６ｃについて説明する。第一情報端末装置６ａ、第二情報端末装置６ｂ、及び第三情報端末装置６ｃは、携帯電話等の同種の情報端末装置であり、居住者に操作されて発生指示ＫＤを出力するものが第一情報端末装置６ａとして機能し、警備装置４から出力される状態情報がサーバー２から通知されるものが第二情報端末装置６ｂとして機能し、警備装置４から出力される緊急情報がサーバー２から通知されるものが第三情報端末装置６ｃとして機能している。
【００４８】
なお、本実施例では、第一情報端末装置６ａ、第二情報端末装置６ｂ、及び第三情報端末装置６ｃは、略同様の機能的構成を有するため、第一情報端末装置６ａの構成を代表して説明する。図３に示すように、第一情報端末装置６ａは、受信手段４０及び送信手段４１によって、サーバー２と送受信を行う通信制御手段４２と、サーバー２から送信された電子メールを記憶する記憶手段４３と、記憶手段４３に記憶された電子メールを、液晶画面等の表示手段４４に表示させる表示制御手段４５と、テンキーや機能指示スイッチ等からなる操作手段４６と、装置本体７の音声制御手段２１を作動させて警告メッセージを発声させる発生指示ＫＤを出力する発生指示出力手段４７とを備えている。
【００４９】
ここで、ホームセキュリティシステム１における威嚇機能とは、居住者が第一情報端末装置６ａを操作して発生指示ＫＤを出力することにより、警備装置４の作動手段２２が音声制御手段２１を作動させて、屋内に警告メッセージが発声されるものである。これにより、居住者は、警備装置４の作動操作を忘れて外出したとき等、外出先から帰宅する１０分前等に、所持する第一情報端末装置６ａから発生指示ＫＤを出力して警告メッセージを発声させることにより、住居に不審者が潜んでいても、不審者を警告メッセージによって威嚇して退出させることが可能である。このため、女性による一人暮しの居住態様に好適である。
【００５０】
また、ホームセキュリティシステム１における緊急通報機能とは、居住者が緊急事態時に緊急スイッチ２３等を押圧して緊急情報を出力することにより、緊急情報通知者の第三情報端末装置６ｃに、サーバー２から居住者の緊急状態を知らせる電子メールが配信されるものである。これにより、緊急情報通知者は、居住者に緊急事態が起こったことを、容易に認識することが可能である。このため、一人暮しや老人世帯等の居住態様に好適である。
【００５１】
次に、本実施形態のホームセキュリティシステム１の動作の流れ、特に警備装置４における処理について、図４乃至図７に示すフローチャートに基づいて説明する。図４及び図５は警備装置４におけるメインフローを示すフローチャートであり、図６は警備装置４における威嚇処理を示すフローチャートであり、図７は警備装置４における緊急通報処理を示すフローチャートである。
【００５２】
図４に示すように、居住者は、外出する際、先ずリモコン８を操作して装置本体７を作動させる。装置本体７は、リモコン８から異常検知の開始となるオン信号を受信すると（ステップＳ１においてＹＥＳ）、ステップＳ２においてタイマＴ１の動作を開始させる。このタイマＴ１は、居住者が屋内から退出するまでの所定時間（本実施例では６０秒）を計るものであり、居住者が適宜設定することが可能である。
【００５３】
そして、装置本体７は、設定されたモードが、通常モード、ペットモード、及び高齢者モードのいずれであるかを判定する。通常モードが設定された場合は、「通常モードによる異常検知を開始します」等のメッセージを発声し（ステップＳ４）、一方、ペットモードが設定された場合は、「ペットモードによる異常検知を開始します」等のメッセージを発声する（ステップＳ５）。また、高齢者モードが設定された場合は、「高齢者モードによる異常検知を開始します」等のメッセージを発声する（ステップＳ６）。
【００５４】
次に、タイマＴ１が所定時間経過したか否かを判断する。タイマＴ１が所定時間に達すると（ステップＳ７においてＹＥＳ）、タイマＴ１を停止して設定されたモードに従って異常検知を開始する（ステップＳ８）。そして、不審者の侵入等によりセンサが異常を検知すると、センサからは検知信号が発信される。装置本体７は、センサから発信された検知信号を受信すると（ステップＳ９においてＹＥＳ）、ステップＳ１０においてタイマＴ２の動作を開始させ、「警察に通報します」等の警告メッセージを発声する（ステップＳ１２）。このタイマＴ２は、警告メッセージを聞いた不審者が、屋内から退出するまでの所定時間（本実施例では３０秒）を計るものである。なお、居住者の滞在中に警備装置４が誤作動して警告メッセージが発声されたとき等は、異常検知を解除するための時間として停止操作を行うことが可能である。
【００５５】
一方、センサから検知信号が発信されないときは（ステップＳ９においてＮＯ）、ステップＳ１１の処理に移行する。ステップＳ１１では、居住者が帰宅して装置本体７が停止されるか否かを判断する。そして、リモコン８から異常検知の停止となるオフ信号を受信すると（ステップＳ１１においてＹＥＳ）、全ての処理を終了し、一方、オフ信号が受信されないときは（ステップＳ１１においてＮＯ）、ステップＳ９の処理に戻る。
【００５６】
次に、タイマＴ２が所定時間経過したか否かを判断する。タイマＴ２が所定時間に達すると（ステップＳ１３においてＹＥＳ）、タイマＴ２を停止してステップＳ１４の処理に移行する。ステップＳ１４では、タイマＴ２の動作中に、不審者が退出したか否かを判断する。センサからは継続して検知信号が発信されず、不審者の退出を認知した場合は（ステップＳ１４においてＹＥＳ）、検知信号に基づいて、不審者が侵入して退出した旨を示す第一状態情報が出力される（ステップＳ１５）。一方、継続して検知信号を受信し、不審者の滞在を認知した場合は（ステップＳ１４においてＮＯ）、ステップＳ１６の処理に移行する。
【００５７】
図５に示すように、ステップＳ１６では、検知信号に基づいて、不審者が侵入して滞在している旨を示す第二状態情報が出力される。そして、第二状態情報が出力されると、ステップＳ１７においてタイマＴ３の動作が開始され、サイレン２０が鳴動される（ステップＳ１８）。これにより、不審者の侵入が近所にも報知されるため、警告メッセージでは退出しなかった不審者であっても、堪らず退出を開始するようになる。これにより、不審者による窃盗等の犯罪を、確実に防止することが可能である。なお、タイマＴ３は、サイレン２０を鳴動させる所定時間（本実施例では１０分）を計るものである。
【００５８】
そして、タイマＴ３が所定時間経過したか否かを判断し、タイマＴ３が所定時間に達すると（ステップＳ１９においてＹＥＳ）、タイマＴ３を停止してサイレン２０を停止させる（ステップＳ２０）。サイレン２０の鳴動が停止されると、ステップＳ９の処理に戻り、屋内の異常検知が引き続き行われる。
【００５９】
警備装置４から出力された第一状態情報または第二状態情報は、サーバー２によって受信される。第一状態情報または第二状態情報を確認した管理会社は、警備員等を急行させて居住者宅の異常確認を行う。そして、サーバー２によって受信された第一状態情報または第二状態情報は、外出中の居住者の第二情報端末装置６ｂに通知される。これにより、居住者は、住居に起こった異常を容易に、且つ即座に認識することが可能である。
【００６０】
一方、居住者が警備操作４の作動操作を忘れて外出したときは、外出先から帰宅する前に、前述した威嚇機能を使用して住居内の安全を確保する。そして、居住者が、所持する第一情報端末装置６ａを操作して発生指示ＫＤを出力すると、第一情報端末装置６ａから出力された発生指示ＫＤは、サーバー２を介して居住者宅の警備装置４に通知される。
【００６１】
警備装置４は、発生指示ＫＤが通知されると、メインフローを中断して威嚇処理を実行する。威嚇処理では、図６に示すように、発生指示ＫＤを認識すると（ステップＳ１０１においてＹＥＳ）、メッセージカウンタＣに「５」の値をセットし（ステップＳ１０２）、メッセージカウンタＣの値を「１」減じて（ステップＳ１０３）、警告メッセージを発声する（ステップＳ１０４）。ここで、メッセージカウンタＣは、繰り返し発声される警告メッセージの発声回数をカウントダウンするためのものである。なお、本実施例では、発声回数の上限が５回であるため、最初に「５」の値がセットされ、警告メッセージの発声前に「１」減算される。
【００６２】
次に、メッセージカウンタＣの値が「０」であるか否かを判断する。メッセージカウンタＣの値が「０」でなければ（ステップＳ１０５においてＮＯ）、ステップＳ１０３の処理に戻る。一方、メッセージカウンタＣの値が「０」であれば（ステップＳ１０５においてＹＥＳ）、警告メッセージの発声回数が上限の５回に達したことになるので、威嚇処理を終了し、メインフローが中断される前の状態に戻ってメインフローを続行する。
【００６３】
第一情報端末装置６ａから出力された発生指示ＫＤは、サーバー２を介して居住者宅の警備装置４に通知され、居住者宅において警告メッセージが５回発声される。このため、不審者が住居内に潜んでいる場合等に、不審者を威嚇して退出させることができ、帰宅する前の住宅内の安全を確保することが可能である。
【００６４】
また、居住者が体調の悪化等により、前述した緊急通報機能を使用して緊急事態を知らせるときは、装置本体７の緊急スイッチ２３等を押圧して緊急情報を出力する。そして、居住者が緊急スイッチ２３等を押圧すると、緊急信号が発信される。
【００６５】
装置本体７は、緊急信号が発信されると、メインフローを中断して緊急通報処理を実行する。緊急通報処理では、図７に示すように、緊急信号を認識すると（ステップＵ１においてＹＥＳ）、ステップＵ２においてタイマＴ４の動作を開始させる。このタイマＴ４は、居住者が緊急スイッチ２３の押圧を開始してから終了するまでの所定時間（本実施例では２秒）を計るものであり、緊急スイッチ２３を押圧した操作が、誤操作によるものであるか否かを判断するものである。
【００６６】
そして、継続して緊急信号を認識し（ステップＵ３においてＹＥＳ）、タイマＴ４が所定時間に達すると（ステップＵ４においてＹＥＳ）、タイマＴ４を停止して緊急情報が出力される（ステップＵ５）。緊急情報を出力した後は、緊急通報処理を終了し、メインフローが中断される前の状態に戻ってメインフローを続行する。
【００６７】
また、図示していないが、モードが高齢者モードに設定されている場合には、動体を検知するセンサによって居住者の状況が監視され、動体の動きが所定時間検知されない場合にも緊急情報が出力されるようになっている。
【００６８】
警備装置４から出力されたこれらの緊急情報は、サーバー２によって受信される。受信された緊急情報は、居住者に係る緊急情報通知者の第三情報端末装置６ｃに通知される。これにより、緊急情報通知者は、居住者に緊急事態が起こったことを容易に、且つ即座に認識することが可能である。また、緊急情報を確認した管理会社は、必要に応じ介抱者等を急行させて居住者の介抱及び救急車の手配を行う。
【００６９】
このように、上記のホームセキュリティシステム１では、居住者の外出中に不審者が侵入しても、警告メッセージやサイレン等で威嚇して退出させ、窃盗等の犯罪を未然に防止することが可能である。また、作動操作を忘れて外出した場合であっても、外出先から帰宅する際に、警告メッセージを発声させて、住居に潜んでいる不審者を威嚇して退出させることができ、身の安全を確保することが可能である。さらに、滞在中に体調が悪化した場合は、緊急情報を出力することによって、救助を受けることが可能である。これにより、日常生活における居住者の安全性が向上される。
【００７０】
以上、本発明について好適な実施形態を挙げて説明したが、本発明はこの実施形態に限定されるものではなく、以下に示すように、本発明の要旨を逸脱しない範囲において、種々の改良及び設計の変更が可能である。
【００７１】
すなわち、上記実施形態のホームセキュリティシステム１では、サーバー２と複数の警備装置４とを接続するネットワークとして、パケット通信方式によるネットワーク３を示したが、これに限定するものではなく、インターネット等のネットワークを利用するようにしてもよい。
【００７２】
また、本実施形態では、居住者及び緊急情報通知者が所持する第一情報端末装置６ａ、第二情報端末装置６ｂ、及び第三情報端末装置６ｃを、同種の情報端末装置から構成されるものを示したが、これに限定するものではなく、汎用のコンピュータ等、状態情報及び緊急情報を受信する機能を有するものであれば、複数種の情報端末装置によって構成されるようにしてもよい。
【００７３】
さらに、本実施形態では、状態情報が通知される第二情報端末装置６ｂ、及び緊急情報が通知される第三情報端末装置６ｃを有するものを示したが、サーバー２を管理する管理会社のように、警備装置４から状態情報及び緊急情報が出力されたときに、居住者宅へ急行して状態を確認できる管理者を有するものあれば、第二情報端末装置６ｂ及び第三情報端末装置６ｃを含まないものであっても構わない。
【００７４】
【発明の効果】
以上のように、請求項１の発明のホームセキュリティシステムは、不審者が屋内に侵入した際、警告音によって不審者を威嚇することにより、不審者による窃盗等の犯罪を未然に防止することができるため、被害を最小限に抑えることが可能である。また、居住者が、警備装置の作動操作を忘れて外出したときでも、帰宅する前に、屋内に潜んでいる不審者を威嚇して退出させることができるため、帰宅時に不審者と鉢合せになって身に危険が及ぶ、といった事態を回避して身の安全を確保することができ、特に一人暮しをしている女性に好適である。
【００７５】
請求項２の発明のホームセキュリティシステムは、請求項１の発明の効果に加えて、屋内の状態に関する状態情報が、居住者の情報端末装置に通知されるため、住居に不審者が侵入したことを、即座に認識して対応することができる。
【００７６】
請求項３の発明のホームセキュリティシステムは、請求項１または請求項２の発明の効果に加えて、居住者が急病になったとき等、緊急情報を出力することにより、緊急情報通知者（例えば肉親等）に緊急事態を知らせることができるため、緊急情報通知者は居住者の緊急事態を、即座に認識して対応することができ、特に核家族化に伴う老人世帯に好適である。
【００７７】
請求項４の発明のホームセキュリティシステムは、請求項１乃至請求項３のいずれか一つの発明の効果に加えて、第二モードを設定することにより、室内にペットを放置したままの状態でも、または居住者がいる状態でも検知されないため、居住者のペットの有無に合わせて使い分けたり、夜間等在宅中における警備にも対応することができ、種々の居住態様に導入することが可能である。
【００７８】
請求項５の発明のホームセキュリティシステムは、請求項４の発明の効果に加えて、居住者が在宅の場合には、第三モードを設定することにより、不審者を検知するためのセンサを、居住者の状況を検知するためのセンサとして機能させることができる。このため、独り暮らしの高齢者等の状況を監視し、異常事態の場合には速やかに救助することが可能である。
【００７９】
請求項６の発明のホームセキュリティシステムは、請求項１乃至請求項５のいずれか一つの発明の効果に加えて、警備装置を設置する際、配線を行う必要がないため、配線工事にかかる費用等を削減することができるとともに、種々の居住態様に導入することが可能である。
【図面の簡単な説明】
【図１】本発明の一実施形態であるホームセキュリティシステム全体の構成を示す説明図である。
【図２】ホームセキュリティシステムにおける警備装置の機能的構成を示すブロック図である。
【図３】ホームセキュリティシステムにおけるサーバーと情報端末装置との機能的構成を示すブロック図である。
【図４】ホームセキュリティシステムの警備装置におけるメインフローを示すフローチャートである。
【図５】ホームセキュリティシステムの警備装置におけるメインフローを示すフローチャートである。
【図６】警備装置における威嚇処理を示すフローチャートである。
【図７】警備装置における緊急通報処理を示すフローチャートである。
【符号の説明】
１　ホームセキュリティシステム
２　サーバー
３　ネットワーク（通信ネットワーク）
４　警備装置
６ａ　第一情報端末装置（情報端末装置）
６ｂ　第二情報端末装置
６ｃ　第三情報端末装置
９　外部センサ（検知手段）
１４　内部センサ（検知手段）
１５　検知情報認識手段（検知手段）
１６　状態情報出力手段
１７　モード設定手段
１９　スピーカー（警告手段）
２０　サイレン（警告手段）
２１　音声制御手段（警告手段）
２２　作動手段
２５　緊急情報出力手段
３３　状態情報認識手段
３５　緊急情報認識手段
３４　状態情報特定手段（状態情報通知手段）
３６　緊急情報特定手段（緊急情報通知手段）
３７　電子メール発信手段（状態情報通知手段、緊急情報通知手段）
【図１】
2004086658.tif 000003
【図２】
2004086658.tif 000004
【図３】
2004086658.tif 000005
【図４】
2004086658.tif 000006
【図５】
2004086658.tif 000007
【図６】
2004086658.tif 000008
【図７】
2004086658.tif 000009